(57)【要約】【課題】  本スキャンモードでの処理において適正にコマ領域を特定できない不都合を把握可能なフィルム処理装置を構成する。【解決手段】  写真フィルムＦを搬送する搬送モータＭを駆動する搬送パルスをカウントするカウント手段６５を備え、プレスキャンではパーフォレーションセンサＳｐの検出タイミングと、カウント手段６５のカウント値とをスキャニングデータ記憶部６６に記憶しておき、本スキャンでは写真フィルムＦを基準位置からパーフォレーションセンサＳｐが目標となるパーフォレーションＦｐを検出するまでパーフォレーションＦｐを計数した際の搬送パルスのカウント数と、スキャニングデータ記憶部６６に記憶したカウント値のうち、基準位置から目標パーフォレーションに達する搬送した際のカウント値とを比較し、設定値以上の差異が存在すると、搬送不良とする判別手段６７を備えた。【選択図】        図７
2006330362.tif 000002
【特許請求の範囲】
【請求項１】
搬送モータの駆動力で現像済み写真フィルムを長手方向に搬送する搬送部と、前記写真フィルムの前記長手方向と直交する主走査方向に沿った領域の画像データを取得する光電変換部と、前記写真フィルムに形成されたパーフォレーションの存否を判別するパーフォレーション検出部とを備えると共に、
前記搬送部による写真フィルムの搬送とともに前記光電変換部で写真フィルムの画像データを低解像度で取得するプレスキャンモードでの処理、及び、基準位置にある写真フィルムを前記搬送部で搬送し、スキャニング開始の基準となる目標パーフォレーションに達する数のパーフォレーションを前記パーフォレーション検出部が計数した後、前記搬送部による写真フィルムの搬送とともに前記光電変換部で写真フィルムのコマの画像データを高解像度で取得する本スキャンモードでの処理を行うスキャニング制御部を備えているフィルム処理装置であって、
前記スキャニング制御部が、前記搬送モータの駆動と同期した同期信号をカウントするカウント手段を備え、
前記本スキャンモードでの処理において、基準位置にある写真フィルムを前記搬送部で搬送し、スキャニング開始の基準となる目標パーフォレーションに達するまでに前記パーフォレーション検出部がパーフォレーション数を計数した際の前記カウント手段でのカウント値と、
前記プレスキャンモードにおいて、前記搬送部での搬送により前記基準位置と前記目標パーフォレーションとの間の前記パーフォレーション数を計数した際に前記カウント手段でカウントしたカウント値とを比較し、夫々のカウント値が設定された値以上異なる場合に、搬送不良であると判別する判別手段を備えているフィルム処理装置。
【請求項２】
前記プレスキャンモードでの処理において前記パーフォレーション検出部でパーフォレーションを検出したタイミングを、前記カウント手段からのカウント値に関連付けて記憶する記憶部を備え、
前記判別手段は前記本スキャンモードでの処理における前記カウント値と、前記記憶手段に記憶したカウント値のうち、前記基準位置と前記目標パーフォレーションとの間の前記パーフォレーション数に対応したカウント値との比較を行う請求項１記載のフィルム処理装置。
【請求項３】
前記スキャニング制御部が、前記プレスキャンモードでの処理では、前記搬送部によって前記写真フィルムを順方向に搬送し、前記カウント値を順方向にカウントすることにより前記パーフォレーション検出部からパーフォレーションの検出位置をカウント値に関連付けてパーフォレーション位置記憶手段に記憶する処理を行い、搬送端において写真フィルムを停止させると共に、
この停止位置を前記基準位置に設定した後に、前記本スキャンモードでの処理では、前記搬送部によって前記写真フィルムを逆方向に搬送し、前記カウント値を逆方向にカウントすることにより前記パーフォレーション位置記憶手段からパーフォレーションの検出位置を読出す請求項１又は２記載のフィルム処理装置。
【発明の詳細な説明】
【技術分野】
【０００１】
本発明は、搬送モータの駆動力で現像済み写真フィルムを長手方向に搬送する搬送部と、前記写真フィルムの前記長手方向と直交する主走査方向に沿った領域の画像データを取得する光電変換部と、前記写真フィルムに形成されたパーフォレーションの存否を判別するパーフォレーション検出部とを備えると共に、前記搬送部による写真フィルムの搬送とともに前記光電変換部で写真フィルムの画像データを低解像度で取得するプレスキャンモードでの処理、及び、基準位置にある写真フィルムを前記搬送部で搬送し、スキャニング開始の基準となる目標パーフォレーションに達する数のパーフォレーションを前記パーフォレーション検出部が計数した後、前記搬送部による写真フィルムの搬送とともに前記光電変換部で写真フィルムのコマの画像データを高解像度で取得する本スキャンモードでの処理を行うスキャニング制御部を備えているフィルム処理装置に関し、詳しくは、写真フィルムの搬送不良を判別する技術に関する。
【背景技術】
【０００２】
フィルムスキャナを例に挙げると、写真フィルムを搬送する搬送部には写真フィルムを圧着する複数のローラと、このローラを駆動するステッピングモータ等を備えているものが一般的である。このような構造であるため、写真フィルムを搬送する際にはローラと写真フィルムとの間で滑りが発生して写真フィルムを適正に搬送できないこともある。
【０００３】
上記の不都合を改善するために、フィルム処理装置と関連する技術としては特許文献１に記載されるものが存在する。この特許文献１では、モータで駆動されるローラで写真フィルムを搬送する搬送系を備え、このモータの回転量を計測するエンコーダを備え、写真フィルムのパーフォレーションを検出するパーフォレーションセンサを備え、パーフォレーションセンサからのパルス信号を入力するカウンタと、このカウンタからのカウント値と基準カウント値との比較する比較器とを備えている。この特許文献１では、写真フィルムの搬送時にパーフォレーションセンサでパーフォレーションを検出する１周期の間におけるパルス信号のカウント値が基準カウント値を超えた場合には、異常検出信号を出力するように構成されている。
【０００４】
【特許文献１】特開平７‐２４４３１１号公報  （段落番号〔００３０〕、〔００３１〕、図１、図４）
【発明の開示】
【発明が解決しようとする課題】
【０００５】
この種の不都合を判別するために、特許文献１に示された技術が有効となるが、この特許文献１に示された技術では、写真フィルムの搬送時の異常を検出する際に、パーフォレーションの検出周期におけるパルス信号のカウント値に基づいて処理を行うため、１周期の間におけるパルス信号に対応する基準カウント値を予め設定しておく必要がある。尚、１３５サイズのフィルム（３５ｍｍフィルム）でも、２４０サイズのフィルム（ＡＰＳフィルム）でも、パーフォレーションの大きさや間隔は規格化された決まった値であるが、夫々のフィルムについて対応した基準カウント値を設定することになる。
【０００６】
また、プレスキャンモードでの処理によって写真フィルムの画像データを低解像度で取得し、この画像データから写真フィルムのコマ領域を特定した後に、コマ領域の画像データを本スキャンによって取得する場合には、コマ領域の近傍のパーフォレーションを基準にしてコマ領域を特定することも行われている。このような処理形態であるため、本スキャンを行うべきコマ領域まで写真フィルムを搬送した場合には、パーフォレーションの数をカウントする処理が最初に行われる。
【０００７】
しかしながら、パーフォレーションはカメラでの撮影時に隣接するパーフォレーションの中間のフィルムベース部分が破損して、この破損部分の位置が不安定になることもある。このような形態の破損では、プレスキャンモードでの処理においてはパーフォレーションを適正にカウントした場合でも、本スキャンモードでの処理では２つのパーフォレーションを１つのパーフォレーションとしてカウントすることもあり、正確にコマ領域を特定して本スキャンモードでの処理を行えず改善の余地があった。
本発明の目的は、本スキャンモードでの処理において適正にコマ領域を特定できないことを合理的に把握するフィルム処理装置を合理的に構成する点にある。
【課題を解決するための手段】
【０００８】
本発明の特徴は、搬送モータの駆動力で現像済み写真フィルムを長手方向に搬送する搬送部と、前記写真フィルムの前記長手方向と直交する主走査方向に沿った領域の画像データを取得する光電変換部と、前記写真フィルムに形成されたパーフォレーションの存否を判別するパーフォレーション検出部とを備えると共に、
前記搬送部による写真フィルムの搬送とともに前記光電変換部で写真フィルムの画像データを低解像度で取得するプレスキャンモードでの処理、及び、基準位置にある写真フィルムを前記搬送部で搬送し、スキャニング開始の基準となる目標パーフォレーションに達する数のパーフォレーションを前記パーフォレーション検出部が計数した後、前記搬送部による写真フィルムの搬送とともに前記光電変換部で写真フィルムのコマの画像データを高解像度で取得する本スキャンモードでの処理を行うスキャニング制御部を備えているフィルム処理装置において、
前記スキャニング制御部が、前記搬送モータの駆動と同期した同期信号をカウントするカウント手段を備え、
前記本スキャンモードでの処理において、基準位置にある写真フィルムを前記搬送部で搬送し、スキャニング開始の基準となる目標パーフォレーションに達するまでに前記パーフォレーション検出部がパーフォレーション数を計数した際の前記カウント手段でのカウント値と、
前記プレスキャンモードにおいて、前記搬送部での搬送により前記基準位置と前記目標パーフォレーションとの間の前記パーフォレーション数を計数した際に前記カウント手段でカウントしたカウント値とを比較し、夫々のカウント値が設定された値以上異なる場合に、搬送不良であると判別する判別手段を備えている点にある。
【０００９】
この構成により、本スキャンモードでの処理において目標パーフォレーションに達するまでに写真フィルムを搬送した距離が、プレスキャンモードでの処理において写真フィルムを搬送した距離と食い違うことをカウント手段でのカウント値に基づいて判別できるものとなり、食い違う場合には、自動的な処理によって搬送不良と判断する。その結果、目標とする位置まで高速で写真フィルムを送ってスキャニングを開始できるばかりでなく、不適正な領域の画像データを本スキャンモードでの処理によって取得する不都合を回避することも可能となり、無駄なスキャニングを抑制できる。
【００１０】
本発明は、前記プレスキャンモードでの処理において前記パーフォレーション検出部でパーフォレーションを検出したタイミングを、前記カウント手段からのカウント値に関連付けて記憶する記憶部を備え、
前記判別手段は前記本スキャンモードでの処理における前記カウント値と、前記記憶手段に記憶したカウント値のうち、前記基準位置と前記目標パーフォレーションとの間の前記パーフォレーション数に対応したカウント値との比較を行っても良い。
【００１１】
この構成により、記憶部に記憶したカウント値から基準位置と目標パーフォレーションとの間のパーフォレーション数に対応したカウント値を抽出して、本スキャンモードでのカウント手段のカウント値と比較できる。
【００１２】
本発明は、前記スキャニング制御部が、前記プレスキャンモードでの処理では、前記搬送部によって前記写真フィルムを順方向に搬送し、前記カウント値を順方向にカウントすることにより前記パーフォレーション検出部からパーフォレーションの検出位置をカウント値に関連付けてパーフォレーション位置記憶手段に記憶する処理を行い、搬送端において写真フィルムを停止させると共に、
この停止位置を前記基準位置に設定した後に、前記本スキャンモードでの処理では、前記搬送部によって前記写真フィルムを逆方向に搬送し、前記カウント値を逆方向にカウントすることにより前記パーフォレーション位置記憶手段からパーフォレーションの検出位置を読出しても良い。
【００１３】
この構成により、プレスキャンモードでの処理によって写真フィルムを順方向に搬送し、このプレスキャンモードでの処理を終了した後には、本スキャンモードでの処理において写真フィルムを逆方向に搬送してコマ領域の画像データを取得するので写真フィルムの搬送に無駄がなく、カウント値とパーフォレーション検出部とを用いてコマ領域を特定する処理も合理的に行える。
【発明を実施するための最良の形態】
【００１４】
以下、本発明の実施形態を図面に基づいて説明する。
〔全体構成〕図１に示すように、フィルムスキャナ１と、処理装置２と、ディスプレイ３とでフィルム処理装置が構成されている。このフィルム処理装置ではフィルムスキャナ１で取得した画像データを前記処理装置２が前記ディスプレイ３に表示し、オペレータがキーボード４、あるいは、マウス５を用いた操作を行うことにより、オーダデータを生成し、そのオーダデータとともに画像データを写真プリント装置６に伝送して銀塩印画紙等のプリント媒体へのプリントを行うことや、処理装置２のメディアドライブ７においてＣＤ−Ｒ等のメディアに保存する処理を行える。尚、前記画像データとは後述するフィルム画像データと、コマ画像データとの総称である。
【００１５】
前記写真プリント装置６は、デジタル型のプリントヘッドで銀塩印画紙に対する露光を行った後に現像処理を行うものを想定しているが、プリント媒体として専用のペーパを用い昇華型のプリントヘッドでプリントを行うものや、インクジェット型のプリントヘッドを用いてプリントを行うものであっても良い。
【００１６】
〔フィルムスキャナ〕図２に示すように、前記フィルムスキャナ１は、光源ユニットＡ、フィルムキャリアＢ（写真フィルムＦを長手方向に搬送する搬送部の一例）、レンズユニットＣ、光電変換部としての光電変換ユニットＤ、主制御ユニットＥを備えている。このフィルムスキャナ１は光源ユニットＡからの光線を、フィルムキャリアＢに支持された現像済みの写真フィルムＦに照射し、この写真フィルムＦを透過した光線を前記レンズユニットＣが光電変換ユニットＤに導き、この光電変換ユニットＤにおいて可視光をＲ（赤）・Ｇ（緑）・Ｂ（青）の３原色に色分解した画像データとして取得すると同時に、赤外光を画像データとして取得する。
【００１７】
〔光源ユニット〕前記光源ユニットＡは、ケース１０の内部空間に対して複数の緑色の発光ダイオード１１Ｇを主走査方向に直線状に配置した第１基板Ｐ１と、複数の青色の発光ダイオード１１Ｂを主走査方向に直線状に配置した第２基板Ｐ２と、複数の赤色の発光ダイオード１１Ｒと、複数の赤外光の発光ダイオード１１ＩＲとを交互に主走査方向に配置した第３基板Ｐ３とを備えると共に、夫々の発光ダイオードからの光線を平行光線化するように、対応する発光ダイオード１１（複数種の発光ダイオードの上位概念）に焦点位置を設定してシリンドリカル型の平行化レンズ１２を備えている。尚、前記基板Ｐ１、Ｐ２、Ｐ３には放熱用のフィン１３を備えており、ケース１０にはフィン１３に対して外部の空気を冷却風として供給するファン（図示せず）を備えている。
【００１８】
前記平行化レンズ１２からの光線は２つのダイクロイックミラー型のミラー１４から光軸Ｌに沿って上方に送られ、拡散板１５を介して前記フィルムキャリアＢに導かれる。この光軸Ｌに対し、電磁アクチュエータ１６からの駆動力によって機能位置と、離間位置とに切り換え自在にＮＤフィルタ１７を配置している。前記拡散板１５は光軸Ｌに沿って送られる光線の主走査方向での光量の平均化を図るものであり、前記ＮＤフィルタ１７はメンテナンス時等、光電変換ユニットＤに対して送られる光線の光量を減ずる減光手段として機能する。
【００１９】
〔フィルムキャリア〕図２及び図３には１３５サイズ（３５ｍｍ）の写真フィルムＦ専用のフィルムキャリアＢを示しており、このフィルムキャリアＢは一方の端部に写真フィルムを導入する導入部Ｊが形成されると共に、内部には導入部Ｊからの写真フィルムＦを搬送する搬送経路Ｋが形成され、この搬送経路Ｋの中間位置にはスリット状のスキャニングゲートＧが形成され、この搬送経路の終端位置には写真フィルムＦを巻き取る巻取ユニットＷが配置される。
【００２０】
このフィルムキャリアＢは、下部ケース２０と上部ケース３０とをヒンジＨを介して開閉自在に連結している。上部ケース３０と下部ケース２０とで挟まれる位置に前記搬送経路Ｋを形成している。また、下部ケース２０の下面側において前記光源ユニットＡからの光線をスキャニングゲートＧに導く位置にシリンドリカル型又はトロイダル型の集光レンズ２１を備えている。
【００２１】
前記搬送経路Ｋは下部ケース２０に対して形成された搬送溝部２０Ｋと、上部ケース３０に対して形成された搬送溝部３０Ｋとで構成される。また、前記下部ケース２０の搬送溝部２０Ｋにはステッピングモータ型の搬送モータＭからの動力がタイミングベルト２２を介して伝えられる複数の駆動軸２３に対して一対の駆動ローラ２４を備えており、この搬送溝部２０Ｋの搬送終端位置に前記巻取ユニットＷを配置している。この巻取ユニットＷには前記駆動軸２３からの動力がタイミングベルト２５を介して伝えられる。
【００２２】
また、下部ケース２０には前記搬送モータＭを制御するモータ制御ユニット２６を備えている。このモータ制御ユニット２６は、後述する同期信号発生回路８１からのパルス信号に基づいて搬送モータＭを駆動するパルス信号（間歇信号の一例）を生成する。
【００２３】
前記上部ケース３０において前記駆動軸２３と対向する位置に支軸３３を配置し、また、前記駆動ローラ２４と対向する位置には、駆動ローラ２４と圧着する従動ローラ３４を遊転支承している。
【００２４】
前記フィルムキャリアＢで使用する写真フィルムＦは図１３に示すように、幅方向での両端部に長手方向に沿って複数のパーフォレーションＦｐが形成され、幅方向の中央位置にコマＦｆが形成され、パーフォレーションＦｐより更に外端部にバーコードＦｂが形成されている。同図に示すように、写真フィルムＦの長手方向に沿う方向を副走査方向であり、この副走査方向と直交する方向を主走査方向と称している。
【００２５】
前記搬送経路Ｋに送られる写真フィルムＦの存否を判別する第１存否センサＳ１と第２存否センサＳ２とを前記スキャニングゲートＧより導入部Ｊの側に配置しており、第３存否センサＳ３を前記スキャニングゲートＧより巻取ユニットＷの側に配置し、この搬送経路Ｋを送られる写真フィルムＦのパーフォレーションＰの存否を判別するパーフォレーションセンサＳｐ（パーフォレーション検出部の一例）を前記スキャニングゲートＧより巻取ユニットＷの側に配置し、更に、前記スキャニングゲートＧより導入部Ｊの側に写真フィルムＦに形成されたバーコードＦｂのデータを読み取る一対のバーコードセンサＳｂを備えている。
【００２６】
前記第１、第２、第３存否センサＳ１、Ｓ２、Ｓ３は、下部ケース２０に備えた発光ダイオードで成る光源４０と、これと対向する位置で上部ケース３０に備えたフォトダイオードやフォトトランジスタで成る受光素子４１とで構成されている。前記パーフォレーションセンサＳｐも同様に下部ケース２０に備えた光源４０と、これと対向する位置で上部ケース３０に備えた受光素子４１とで構成されている。一対のバーコードセンサＳｂも同様に下部ケース２０に備えた光源４０と、これと対向する位置で上部ケース３０に備えた受光素子４１とで構成されている。
【００２７】
前記巻取ユニットＷは、巻取空間の中心位置に配置した巻取ドラム４３と、この周囲に配置した支軸４４に対して揺動自在に支持された揺動アーム４５に遊転支持したガイドローラ４６とを備えており、揺動アーム４５の揺動端を巻取ドラム４３に接近させるように付勢することにより、前記搬送経路Ｋに送られた写真フィルムＦをガイドローラ４６によって巻取ドラム４３の外周に押し付ける形態で巻き付ける形態で、この巻取ドラム４３に巻き取るように機能する。
【００２８】
〔レンズユニット〕前記レンズユニットＣは、ズーム型の光学レンズ４８を備えると共に、この光学レンズ４８の焦点を合わせる合焦モータ（図示せず）と、この光学レンズ４８の焦点距離を設定するズームモータ（図示せず）と、これらを制御するレンズ制御ユニット４９を備えており、フィルムキャリアＢに支持された写真フィルムＦの画像を前記光電変換ユニットＤに内蔵した前記ラインセンサ５１、５２の光電変換面に対して任意の拡大率で結像させるよう構成されている。
【００２９】
〔光電変換ユニット〕前記光電変換ユニットＤは、Ｒ（赤）、Ｇ（緑）、Ｂ（青）の３原色に対応した３ライン型の可視光用のラインセンサ５１と、赤外光（ＩＲ）を感知する１ライン型の赤外光用のラインセンサ５２とを内蔵すると共に、前記光学レンズ４８からの可視光を透過させ、赤外光を反射させるダイクロイックミラー型のスプリッター５３を内蔵している。可視光用のラインセンサ５１と、赤外光用のラインセンサ５２とは、前記写真フィルムＦの長手方向と直交する主走査方向と平行する方向に沿って多数の光電変換素子を配置した構造を有しており、前記光学レンズ４８からの光線をスプリッター５３から可視光用のラインセンサ５１に導いて結像させる同時に、スプリッター５３で反射させて赤外光用のラインセンサ５２に導いて結像させる。
【００３０】
可視光用のラインセンサ５１で取得した画像データ（後述するコマ画像データ）はプリントに用いられ、赤外光用のラインセンサ５２で取得した画像データ（後述するコマ画像データ）は写真フィルムＦのゴミや傷に起因する欠陥領域を特定し、濃度調整処理や、ニアレストネイバー法、バイリニア法、バイキュービック法等による補間処理によって欠陥を修正する処理に利用される。
【００３１】
このようにフィルムスキャナ１によって写真フィルムの画像データを取得する処理は前記主制御ユニットＥと前記処理装置２とによって実現するものであり、その構成と処理形態を以下に説明する。なお、この主制御ユニットＥと前記処理装置２とによってスキャニング制御部が構成されている。
【００３２】
〔フィルムスキャナの制御構成〕本発明のフィルム処理装置の制御系の概略を図４のように示すことが可能である。つまり、前記主制御ユニットＥは、情報のアクセスを許す入出力インタフェース６１と、この入出力インタフェース６１からの情報を処理するマイクロプロセッサＣＰＵとを備えている。入出力インタフェース６１に対して前記光源ユニットＡのラインセンサ５１、５２、前記レンズ制御ユニット４９、前記モータ制御ユニット２６、前記第１、第２、第３存否センサＳ１、Ｓ２、Ｓ３、パーフォレーションセンサＳｐ、バーコードセンサＳｂ夫々に対する情報のアクセス系が形成されている。また、前記マイクロプロセッサのデータバスに対してプレスキャン実行手段６３、本スキャン実行手段６４、カウント手段６５、記憶部としてのスキャニングデータ記憶部６６、判別手段６７夫々に対する情報のアクセス系が形成されている。
【００３３】
前記スキャニングデータ記憶部６６は、ＲＡＭ等の半導体型のメモリで構成され、プレスキャンモードでの処理（プレスキャンと称する）において前記パーフォレーション検出部でパーフォレーションを検出したタイミングをカウント手段６５からのカウント値（カウント値に対応したアドレス）に関連付けて記憶するパーフォレーション位置記憶手段６６Ａと、プレスキャンにおいて、前記ラインセンサ５１、５２でのスキャニングタイミングをカウント手段６５からのカウント値（カウント値に対応したアドレス）に関連付けて記憶するスキャニング位置記憶手段６６Ｂとで構成されている。
【００３４】
前記プレスキャン実行手段６３、本スキャン実行手段６４、カウント手段６５、判別手段６７夫々は処理装置２にインストールされたソフトウエアを想定しているが、ハードウエアで構成することや、ハードウエアとの組み合わせで構成しても良い。
【００３５】
この主制御ユニットＥは、前記処理装置２と通信回線を介して情報をアクセスできるように接続され、前記処理装置２の制御系を同図のように示すことが可能である。つまり、この処理装置２は情報のアクセスを許す入出力インタフェース７１と、この入出力インタフェース７１からの情報を処理するマイクロプロセッサＣＰＵとを備えている。入出力インタフェース７１に対して前記ディスプレイ３、キーボード４、マウス５、メディアドライブ７、ハードディスクＨＤ夫々に対する情報のアクセス系が形成されると共に、通信回線を介して写真プリント装置６と情報をアクセスできるように接続されている。また、前記マイクロプロセッサのデータバスに対してプレスキャンデータ取得手段７３、コマ領域抽出手段７４、オーダデータ取得手段７５、本スキャンデータ取得手段７６、オーダ実行手段７７、エラー処理手段７８夫々に対する情報のアクセス系が形成されている。
【００３６】
前記プレスキャンデータ取得手段７３、コマ領域抽出手段７４、オーダデータ取得手段７５、本スキャンデータ取得手段７６、オーダ実行手段７７、エラー処理手段７８夫々は処理装置２にインストールされたソフトウエアを想定しているが、ハードウエアで構成することや、ハードウエアとの組み合わせで構成しても良い。
【００３７】
〔スキャニング形態〕このフィルム処理装置での写真フィルムＦの処理形態の概要を、図５に示すフローチャートに基づいて説明する。このフィルムスキャナ１は、１３５サイズ、２４０サイズ、１２０・２２０サイズ等の複数種の写真フィルムＦに対応したフィルムキャリアＢを用いて写真フィルムＦのスキャニングを実行することにより、前記プレスキャン実行手段６３がプレスキャンによって、写真フィルムＦをフィルムキャリアＢに順方向に送り込みながらフィルム画像データ（写真フィルムＦのコマ画像データを抽出せずにフィルム１本分のデータを含む構造のデータ）を低解像度で取得する（画素数の少ない画像データを取得する）（＃ａ）。
【００３８】
次に、このプレスキャンで取得したフィルム画像データから処理装置２のコマ領域抽出手段７４がコマ領域を抽出し（＃ｂ）、前記オーダデータ取得手段７５が、ディスプレイ３のプレジャッジ画面（図示せず）を表示し、このプレジャッジ画面に対して前記コマ領域の画像データをサムネイル形式で表示することにより、オペレータに対してプリント対象とするコマの指定、プリントサイズ、プリント枚数の設定を求め、この設定からオーダデータを取得する（＃ｃ）。
【００３９】
このコマの指定、プリントサイズの設定、プリント枚数の設定によって設定されるデータをオーダデータと称する。また、写真フィルムＦから取得した画像データの処理形態として、前記メディアドライブ７にセットしたＣＤ−ＲやＤＶＤ−Ｒ等のメディアに書込む処理も考えられる。
【００４０】
次に、前記本スキャン実行手段７３は、フィルムスキャナ１がオーダデータにおいて指定されたコマの画像データを取得するように本スキャンモードでの処理（本スキャンと称する）を実行することにより、写真フィルムＦを逆方向に送りながらコマ画像データを高解像度で取得し（＃ｄ）、このコマ画像データのチェックを行った後に、オーダデータとともに処理装置２が写真プリント装置６に転送することにより写真プリント装置６がプリント処理を実行する（＃ｅ・＃ｆ）。
【００４１】
〔プレスキャンモードでの処理〕（前記プレスキャン実行手段６３による処理）におけるデータの処理形態の概要を図６のように示している。つまり、同期信号発生回路８１で発生させたパルス信号を、ドライバとして機能する前記モータ制御ユニット２６に与えることにより、搬送モータＭをパルス信号と同期して正転方向に駆動する。
【００４２】
この同期信号発生回路８１で発生させたパルス信号はアドレスカウンタで成る前記カウント手段６５に与えられ、このカウント手段６５は、半導体型のメモリで成るスキャニングデータ記憶部６６のアドレスを指定する。前記同期信号発生回路８１で発生させたパルス信号は前記ラインセンサ５１、５２から画像データの取得を制御するラインセンサ制御手段８２に与えられる。
【００４３】
また、前記パーフォレーションセンサＳｐからの検出信号が波形成形手段８３で成形された後に前記スキャニングデータ記憶部６６に書込む書込み系を形成し、前記ラインセンサ制御手段８２でスキャニングを行ったタイミングを示すタイミングデータを前記スキャニングデータ記憶部６６に書込む書込み系を形成している。
【００４４】
前記モータ制御ユニット２６、前記カウント手段６５、前記ラインセンサ制御手段８２夫々に与えられるパルス信号は、同じ周波数の信号でなくとも同期した信号であれば良く、カウント手段６５、ラインセンサ制御手段８２、波形成形手段８３はハードウエアで構成する必要はなく、ソフトウエアで構成することやソフトウエアとの組み合わせによって構成しても良い。
【００４５】
前記スキャニングデータ記憶部６６を構成する半導体型のメモリは前記タイミングデータと、検出データとを書込むために異なる領域が必要となるものの、タイミングデータと検出データとは夫々とも存否を示すデータであるため、夫々１ビットの領域で済むものであり、例えば、指定されたアドレスに８ビット（１バイト）のデータを書込み得る性能のメモリであれば、例えば、同じアドレスの８ビットの領域のうち１ビット目をタイミングデータの領域に設定し、２ビット目の領域を検出データの領域に設定することも可能である。
【００４６】
前記プレスキャンを行う際には、前記同期信号発生回路８１に対してプレスキャンモードでの処理を実行するパルス信号を発生させるデータが与えられ、前記モータ制御ユニット２６に搬送モータＭを正転させるデータが与えられ、前記カウント手段６５にカウント値をインクリメントするデータが与えられ、前記スキャニングデータ記憶部６６に書込みを行わせるデータが与えられる。
【００４７】
前記プレスキャン実行手段６３がプレスキャンを行う場合には、図８のフローチャートに示すように、前記同期信号発生回路８１でプレスキャンの周波数となるパルス信号を発生させ、このパルス信号と同期して搬送モータＭが正転方向に駆動され、前記第１存否センサＳ１と第２存否センサＳ２とで写真フィルムＦの先端を検出した場合には、その検出タイミングを基準にして予め設定されたタイミングに達すると、予め設定されたインターバルでスキャニングを開始する（＃１０１、１０２ステップ）。
【００４８】
このようにプレスキャンを開始する際には前記光源ユニットＡの発光ダイオード１１を発光状態に維持し、前記レンズユニットＣの光学レンズ４８をプレスキャンに適した拡大率に設定する。
【００４９】
このスキャニングが開始されると、搬送モータＭを駆動する搬送パルス信号と同期してカウント手段６５がスキャニングデータ記憶部６６（メモリ）のアドレスをインクリメントし、ラインセンサ制御手段８２がスキャニングを行う毎に、スキャニングで取得した画像データを前記処理装置２に転送すると同時に、そのスキャニングタイミングを示すタイミングデータがスキャニングデータ記憶部６６のスキャニング位置記憶手段６６Ｂに書込まれる。また、写真フィルムＦの搬送に伴ってパーフォレーションセンサＳｐがパーフォレーションＦｐを検出した場合には、検出データがスキャニングデータ記憶部６６のパーフォレーション位置記憶手段６６Ａに書込まれる（＃１０３ステップ）。尚、この検出データはパーフォレーションＦｐの副走査方向の大きさに対応してパーフォレーションセンサＳｐから継続的に取得されるため、この検出データは連続的したアドレスに記憶される。
【００５０】
この＃１０３ステップの処理は前記第３存否センサＳ３での写真フィルムＦの終端位置を検出するまで継続し、写真フィルムＦの終端を検出した場合には、前記プレスキャン実行手段６３が写真フィルムＦの搬送速度をスローダウンした後に、搬送とスキャニングとを停止し、スキャニングデータ記憶部６６のカウント値（アドレス値）に関連付けて記憶したタイミングデータと、検出データとを前記処理装置２に転送する（＃１０４、＃１０５ステップ）。
【００５１】
プレスキャンが終了すると、プレスキャンによって取得したフィルム画像データは、前記処理装置２のコマ領域抽出手段７４が写真フィルムＦのコマＦｆに対応したコマ領域を抽出し、前記オーダデータ取得手段７５がコマ領域の画像データをサムネイル形式で前記プレジャッジ画面に表示する。
【００５２】
図面には示さないが、コマ領域抽出手段７４は、プレスキャンによって取得したフィルム画像データから画像処理によってコマ領域を抽出する処理を行うと共に、このように抽出したコマ領域の位置を、前記主制御ユニットＥから転送された総カウント値と、タイミングデータと、検出データとに基づいて、写真フィルム上のコマＦｆの位置を特定できるデータを生成する。
【００５３】
このように生成されたデータは、コマ領域の副走査方向での両端位置を示すカウント値と、本スキャンにおいて写真フィルムＦを搬送する方向で、コマ領域の上流側に隣接するパーフォレーションＦｐを特定するパーフォレーションＦｐの計数値とを含んでいる。尚、パーフォレーションＦｐの計数値とは、本スキャンにおける写真フィルムＦの搬送方向で、パーフォレーションセンサＳｐで最初に検出するパーフォレーションＦｐの計数値を「１」（「０」等の任意の数値でも良い）とした場合に、アップカウントによって取得される数値である。
【００５４】
前記プレジャッジ画面においてオペレータがプリント対象とするコマを指定し、プリントサイズを指定し、プリント枚数を設定した後には、プリント対象に指定したコマ領域を特定するように、基準位置から前記目標パーフォレーションＦｐｔ（図１３を参照）までのパーフォレーションＦｐの数（計数値）と、この目標パーフォレーションＦｐｔの位置を基準としたスキャニング開始側のカウント値と、スキャニング終了側のカウント値とを設定する。この設定は、プリント対象としたコマ全てに対して行われるものであり、このように設定されたデータは前記本スキャン実行手段６４に与えられる。そして、このコマ領域データが与えられると、本スキャン実行手段６４による本スキャンが開始される。
【００５５】
〔本スキャンモードでの処理〕（前記本スキャン実行手段６４による処理）におけるデータの処理形態の概要を図７のように示している。この本スキャンを可能にする構成は前記プレスキャンを実行するものと基本的に変わるものではなく、本スキャンモードでは、前記同期信号発生回路８１に対して本スキャンを実行するパルス信号を発生させるデータが与えられ、前記モータ制御ユニット２６に搬送モータＭを逆転させるデータが与えられ、前記カウント手段６５にカウント値をデクリメントするデータが与えられる。
【００５６】
また、前記同期信号発生回路８１から前記カウント手段６５と、タイミング設定手段８４と、判別手段６７とにパルス信号を与え、カウント手段６５からのカウント値をタイミング設定手段８４に与え、パーフォレーションセンサＳｐから波形成形手段８３を介して検出信号を判別手段６７と、タイミング設定手段８４とに与え、このタイミング設定手段８４から前記ラインセンサ制御手段８２にスキャニングを実行させる実行タイミングデータを与える信号系を形成している。更に、前記スキャニングデータ記憶部６６で読出した検出データを判別手段６７に与える信号系を形成している。
【００５７】
そして、本スキャン実行手段６４が本スキャンを行う場合には、図９のフローチャートに示すように、前記基準位置から写真フィルムＦを逆方向に搬送した際にスキャニング対象のコマ領域に対応した目標パーフォレーションＦｐｔを検出するまでに前記パーフォレーションセンサＳｐで検出するパーフォレーションの数と、この目標パーフォレーションＦｐｔを基準にしたカウント値（開始側と終了側とのカウント値ＳＴ、ＥＤ・図１３、図１４を参照）が前記タイミング設定手段８４にセットされる。この設定の後に、前記同期信号発生回路８１で本スキャンの周波数となるパルス信号を発生させ、このパルス信号と同期して搬送モータＭを逆転方向に駆動することにより写真フィルムＦの搬送を開始し、この搬送時に前記パーフォレーションセンサＳｐでパーフォレーションＦｐの数を計数する（＃２０１、＃２０２ステップ）。
【００５８】
具体的に説明すると、図１３に示すように、プレスキャンを終えて、基準位置に写真フィルムＦが停止する状況において、スキャニングゲートＧから目標パーフォレーションにおけるスキャニング開始位置までの距離をＸとした場合、この距離Ｘの直前に位置する（スキャニングゲートＧの側に位置する）パーフォレーションＦｐが仮の目標パーフォレーションＦｐｘとなり、この仮の目標パーフォレーションＦｐｘとスキャニングゲートＧとの間に存在するパーフォレーションＦｐの数が目標数となる。
【００５９】
また、図１４に示すように、目標パーフォレーションＦｐｔを基準にした開始側のカウント値ＳＴと、終了側のカウント値ＥＤとは、前記パーフォレーションセンサＳｐが目標パーフォレーションＦｐｔを検出（アップエッジを判別）したタイミングを基準にして、前記同期信号発生回路８１からのパルス信号をカウントしたカウント値である。目標パーフォレーションＦｐｔはプリント対象に設定されたコマ毎に設定されるので、夫々の目標パーフォレーションＦｐｔに対して開始側のカウント値ＳＴと、終了側のカウント値ＥＤとが設定される。
【００６０】
また、フィルムスキャナ１は図１３に示すように、スキャニングゲートＧとパーフォレーションセンサＳｐとが距離Ｙだけオフセットしているので、真の目標パーフォレーションＦｐｔはパーフォレーションセンサＳｐから距離Ｘだけ離間した位置のパーフォレーションＦｐとなる。また、同図にはプレスキャンを終了した時点での写真フィルムＦの位置を示しており、この写真フィルムＦの位置が基準位置となる。
【００６１】
このカウントによって目標パーフォレーションＦｐに達する目標数だけ計数したタイミングで、判別ルーチンを実行し、搬送不良であると判別した場合にのみ、搬送を停止し、搬送不良であることを示すメッセージを前記ディスプレイ３に表示して処理を終了する（＃２０３、＃３００、＃２０４、＃２０５ステップ）。判別ルーチン（＃３００）での処理の詳細は後述する。
【００６２】
尚、写真フィルムＦを搬送する際には、本スキャンでコマ画像データを取得する直前までは写真フィルムＦを高速で搬送し、本スキャンを行う直前に本スキャンに対応した速度まで減速して写真フィルムＦの搬送を行うように処理形態を設定しても良い。
【００６３】
前記判別ルーチン（＃３００）で搬送不良でないことが判別された場合には、写真フィルムＦが既に前述した基準位置にあるので、前記同期信号発生回路８１からのパルス信号をタイミング設定手段８４でカウントしたカウント値が、前記開始側のカウント値ＳＴに達した時点で本スキャンを開始し、取得した画像データを処理装置２に転送すると共に、このタイミング設定手段８４でのカウント値が終了側のカウント値ＥＤに達した時点で、そのコマ領域に対する本スキャン終了する（＃２０６ステップ）。
【００６４】
この本スキャンによるコマ画像データの取得は、対象に指定された全てのコマ領域における取得が終了するまで継続的に行われ、全てのコマ領域のコマ画像データの取得が終了した時点で、写真フィルムＦの搬送を停止して処理を終了する（＃２０７、＃２０８ステップ）。
【００６５】
つまり、この本スキャンでは、スキャニング対象とするコマ領域に対応した目標パーフォレーションＦｐｔ（Ｆｐｘ）（搬送方向でコマＦｆの上流側に隣接するもの）を特定し、この目標パーフォレーションＦｐｔからコマ領域の上流側（スキャニング開始側）のカウント値ＳＴと、コマ領域の下流側（スキャニング終了側）のカウント値ＥＤとを特定し、目標パーフォレーションＦｐｔに達するまで、パーフォレーションセンサＳｐでパーフォレーションＦｐの数を計数しながら写真フィルムＦを搬送し、この計数値が前記目標数に達して目標パーフォレーションＦｐｔを検出したタイミング（アップエッジでの検出）を基準にして、前記特定された上流側のカウント値ＳＴに対応するだけ搬送モータＭを駆動したタイミングで本スキャンでスキャニングを開始し、この後、前記特定された下流側のカウント値ＥＤに対応するだけ搬送モータＭを駆動したタイミングでスキャニングを停止するように処理のシーケンスが実行される。
【００６６】
前記判別ルーチン（＃３００）の処理の概要を図１０のフローチャート及び図１１のタイミングチャートのように示すことが可能である。つまり、前記基準位置から写真フィルムＦを逆方向に搬送して、パーフォレーションセンサＳｐが目標パーフォレーションＦｐｔを検出したタイミングにおいて、基準位置から目標パーフォレーションＦｐを検出するまで前記カウント手段６５がカウントしたカウント値Ｃａと、図１１に示す如く前記スキャニングデータ記憶部６６において前記基準位置と前記目標パーフォレーションとの距離に対応して記憶されたカウント値Ｃｂとを、前記判別手段６７が取得し、比較することにより、カウント値Ｃａと、カウント値Ｃｂとの差の絶対値Ｃｄを算出する（＃３０１、＃３０２ステップ）。
【００６７】
この差の絶対値Ｃｄと基準値Ｃｘとを比較し、差の絶対値Ｃｄが、基準値Ｃｘを超えている場合には、エラーデータをセットする（＃３０３、＃３０４ステップ）。
【００６８】
この搬送不良の代表的な原因として、写真フィルムＦのパーフォレーションＦｐが破損していることを例に挙げることができる。つまり、写真フィルムＦのパーフォレーションＦｐはカメラでの巻き上げ操作や巻き戻し操作時にカメラのスプロケットからの力によって隣接するパーフォレーションＦｐの中間のフィルムベース部分が破損して、この破損部分の位置が不安定になることがある。
【００６９】
このような形態の破損では、プレスキャンではパーフォレーションＦｐを適正に計数した場合でも、本スキャンでは２つのパーフォレーションを１つのパーフォレーションとして計数することや、これとは逆に、プレスキャンでは２つのパーフォレーションを１つのパーフォレーションとして計数するものの、本スキャンではパーフォレーションＦｐを適正に計数することがある。
【００７０】
このような理由から搬送不良を発生した場合には、適正な位置からスキャニングを行えず、本スキャンを行い、プリント処理を行った場合には、プリントが無駄になっていたのであるが、本発明によると、この不都合を解消できるのである。
【００７１】
また、このフィルム処理装置では、本スキャンによって取得したコマ画像データをチェックすることにより（＃ｅ）、搬送不良に起因してプリント処理に不適当なコマ画像データを判別し、プリント処理の対象から除くようにしている。
【００７２】
つまり、本スキャンにおいて搬送不良が発生し、適正な位置から外れた位置でスキャニングを行った場合には、本スキャンによって取得したコマ画像データの副走査方向で上流側又は下流側の端部に画像が存在しない低濃度の領域が形成されるため、取得したコマ画像データの副走査方向での端部に低濃度の領域が形成されているものについては搬送不良と判別している。
【００７３】
この搬送不良を判別するチェックルーチンでの処理を図１２のフローチャートのよう示すことが可能である。つまり、前記本スキャンで取得したコマ画像データを処理対象に設定し、そのコマ画像データの副走査方向での両端部において主走査方向に沿った領域のデータを抽出し、抽出したデータのＲ（赤）・Ｇ（緑）・Ｂ（青）の３原色についての濃度が予め設定された値未満の低度であるかを判別する（＃４０１〜＃４０３ステップ）。
【００７４】
次に、低濃度であることを判別し、抽出された領域が帯状であることを判別した場合にのみ、対象とするコマ画像データに対してエラーデータをセットする（＃４０４〜＃４０５ステップ）。
【００７５】
このようにスキャニング時に搬送不良を発生したコマ画像データを特定する処理を本スキャンで取得した全てのコマ画像データについて行った後に処理を終了する（＃４０７ステップ）。
【００７６】
この画像処理を利用したチェックルーチンに代えて、本スキャンによって取得したコマ画像データをディスプレイ３に表示することにより、オペレータが目視によって搬送不良の有無を判別するように処理形態を設定しても良い。
【００７７】
このように、本発明では、プレスキャンと本スキャンとを行うフィルム処理装置において、プレスキャンでフィルム画像データを取得する際に写真フィルムＦを搬送するパルス信号と関連付けてパーフォレーションＦｐの位置を記憶し、本スキャンでコマ画像データを取得する際には、目標パーフォレーションＦｐｔを検出するまで前記パーフォレーションセンサＳｐでパーフォレーションＦｐを計数しながら写真フィルムＦを搬送した際のパルス信号のカウント値Ｃａと、写真フィルムＦの搬送と同期してパーフォレーションＦｐと関連付けて記憶したパルス信号のカウント値Ｃｂとの比較を行うことにより、本スキャンでの写真フィルムＦの搬送が適正であるか、不適正（不良）であるかを判断できるものにして、良好なコマ画像データのみを取得できるものにして、高品質のプリント処理を行える。
【００７８】
また、本スキャンによって取得したコマ画像データについて、夫々のコマ画像データについて、チェックルーチンでの画像処理によりスキャニング時の搬送不良の有無を判別し、搬送不良であることを判別した場合には、プリント処理を行わないので印画紙の無駄な消費を回避している。
【００７９】
〔別実施形態〕
本発明は、上記した実施の形態以外に以下のように構成しても良い。
【００８０】
（ａ）目標パーフォレーションを検出するまで写真フィルムを搬送した後に、判別手段によって搬送不良であることを判別した際には、スキャニング対象としたコマに対するスキャニング位置を、オペレータが目視によって設定し、この人為的な設定の後にスキャニングを開始できるように処理形態を設定する。
【００８１】
（ｂ）目標パーフォレーションを検出するまで写真フィルムを搬送した後に、判別手段によって搬送不良であることを判別した際には、搬送不良の原因がパーフォレーションの破損が原因として考えられるので、搬送不良を判別した場合には、オペレータの操作により、例えば、１つのパーフォレーションのピッチに等しい量だけ、写真フィルムを戻し、その位置のパーフォレーションを目標パーフォレーションとして、本スキャンを行うように処理形態を設定する。
【００８２】
（ｃ）プレスキャンによって取得したフィルム画像データからコマ領域を抽出する処理をオペレータが自動的に行うことや、自動的な画像処理をディスプレイに表示し、必要な場合にはオペレータ人為的に抽出領域の調節を行えるように、半自動的な処理によって行うように処理形態を設定しても良い。
【００８３】
（ｄ）実施形態では、フィルムスキャナの主制御ユニットと、この主制御ユニットから伝送されるデータの処理を行う処理装置とで本発明のフィルム処理装置を構成していたが、単一のユニットでフィルム処理装置を構成しても良い。
【産業上の利用可能性】
【００８４】
写真フィルムから取得したコマ画像データをプリント処理以外に、ＤＣ−Ｒ等のメディアに保存する装置に適用することや、インターネット等の通信回線を介して伝送するための装置に適用しても良い。
【図面の簡単な説明】
【００８５】
【図１】フィルム処理装置の斜視図
【図２】フィルムスキャナの構造を示す断面図
【図３】搬送経路を開放したフィルムキャリアの斜視図
【図４】フィルム処理装置の制御系を示すブロック回路図
【図５】プリント処理シーケンスのフローチャート
【図６】プレスキャンモードでの処理時におけるデータの流れの概要を示す図
【図７】本スキャンモードでの処理時におけるデータの流れの概要を示す図
【図８】プレスキャンルーチンのフローチャート
【図９】本スキャンルーチンのフローチャート
【図１０】判別ルーチンのフローチャート
【図１１】検出データとパルス信号と記憶されている検出データとの関係を示すタイミングチャート
【図１２】チェックルーチンのフローチャート
【図１３】目標パーフォレーションとパーフォレーションセンサとの位置関係とを示す図
【図１４】本スキャンモードでの処理時における検出信号とパルス信号とを示すタイミングチャート
【符号の説明】
【００８６】
６５          カウント手段
６６          記憶部：スキャニングデータ記憶部
６７          判別手段
６６Ａ        パーフォレーション位置記憶手段
６６Ｂ        スキャニング位置記憶手段
Ｂ            搬送部：フィルムキャリア
Ｄ            光電変換部：光電変換ユニット
Ｆ            写真フィルム
Ｆｆ          コマ
Ｆｐ          パーフォレーション
Ｍ            搬送モータ
Ｓｐ          パーフォレーション検出部：パーフォレーションセンサ
【図１】
2006330362.tif 000003
【図２】
2006330362.tif 000004
【図３】
2006330362.tif 000005
【図４】
2006330362.tif 000006
【図５】
2006330362.tif 000007
【図６】
2006330362.tif 000008
【図７】
2006330362.tif 000009
【図８】
2006330362.tif 000010
【図９】
2006330362.tif 000011
【図１０】
2006330362.tif 000012
【図１１】
2006330362.tif 000013
【図１２】
2006330362.tif 000014
【図１３】
2006330362.tif 000015
【図１４】
2006330362.tif 000016